(57)【要約】【課題】人の身体を感触の良い柔らかい支持圧で支えられるクッションを、簡単な構成によって様々な使用形態に変えられるようにする。【解決手段】閉じた袋形状の表皮袋２と、表皮袋２の袋内に充填された無数の発泡ビーズ３と、を有するクッション１である。各発泡ビーズ３は、クッション１の向きが変えられる移動によって漸次重力方向に溜まる形に流動する構成されている。表皮袋２は、その四隅に革紐が取り付けられており、各革紐のいずれか同士（革紐４Ａ，４Ｂ）を結合させて各革紐４Ａ，４Ｂの取り付け箇所同士を合わせた状態に保持することのできる構成とされている。なおかつ、上記表皮袋２は、クッション１がどの向きに変えられたり各革紐のいずれか同士を結合させてクッション１の形が変えられたりしても、各発泡ビーズ３の重力方向に溜まる流動によりクッション１を常に自立させられる形に撓む構成とされている。【選択図】図１
2015181877.tif 000002
【特許請求の範囲】
【請求項１】
閉じた袋形状の表皮袋と、該表皮袋の袋内に充填された緩衝材と、を有するクッションであって、
前記緩衝材は、当該クッションの向きが変えられる移動によって漸次重力方向に溜まる形に流動する流動体により構成されており、
前記表皮袋は、その複数箇所に結合部材が取り付けられており、当該各結合部材のいずれか同士を結合させて当該各結合部材の取り付け箇所同士を合わせた状態に保持することのできる構成とされ、かつ、当該クッションがどの向きに変えられたり前記各結合部材のいずれか同士を結合させることで当該クッションの形が変えられたりしても前記緩衝材の重力方向に溜まる流動により当該クッションを常に自立させられる形に撓む構成とされていることを特徴とするクッション。
【請求項２】
請求項１に記載のクッションであって、
前記各結合部材が前記表皮袋の袋形状の周縁部に沿って取り付けられていることを特徴とするクッション。
【請求項３】
請求項１又は請求項２に記載のクッションであって、
前記表皮袋が多角形の袋形状とされており、前記各結合部材が前記表皮袋の多角形の角部に取り付けられていることを特徴とするクッション。
【請求項４】
請求項３に記載のクッションであって、
前記表皮袋が四角形の袋形状とされており、前記表皮袋の四隅に取り付けられた前記各結合部材の隣り合うもの同士或いは対角位置にあるもの同士を結合して前記表皮袋の隣り合う角部同士或いは対角位置にある角部同士を合わせた形にすることができるようになっていることを特徴とするクッション。
【請求項５】
請求項１から請求項４のいずれかに記載のクッションであって、
前記表皮袋が互いに種類の異なる２種類の面状材同士を袋状に縫い合わせて構成されていることを特徴とするクッション。
【請求項６】
請求項１から請求項５のいずれかに記載のクッションであって、
前記各結合部材のいずれか同士を結合することにより前記表皮袋に環状に繋ぎ合わされた環状部が形成され、当該クッションは前記環状部を上方側に立ち上げる向きにすることで前記環状部によって囲まれた領域の天板面上に人が座れるようになり、前記環状部の繋ぎ合わされた領域部が着座者の背凭れとして機能する構成とされていることを特徴とするクッション。
【発明の詳細な説明】
【技術分野】
【０００１】
本発明は、クッションに関する。詳しくは、閉じた袋形状の表皮袋と、表皮袋の袋内に充填された緩衝材と、を有するクッションに関する。
【背景技術】
【０００２】
従来、家庭のリビングルーム（居間）やラウンジ（客間など）などに置かれて使用されるクッションとして、略球形状の形に形成されたものが知られている（特許文献１）。上記クッションは、成人が着座して腰掛けることが可能な大型な形状とされている。上記クッションの内部には、凭れ掛かった人の身体を感触の良い支持圧で支えることが可能な発泡ビーズが充填されている。上記クッションは、床面上に設置されることによって、その球形が扁平した底面を形成して、着座した人の身体を床面に底付きさせることなく柔らかく包み込むように支えられる構成となっている。
【先行技術文献】
【特許文献】
【０００３】
【特許文献１】特開２００５−１９８８５６号公報
【発明の概要】
【発明が解決しようとする課題】
【０００４】
しかし、上記従来技術では、クッションそのものに形状を変えられる機能がなく、常に同じ形態での使用しか行えない。本発明は、上記問題を解決するものとして創案されたものであって、本発明が解決しようとする課題は、人の身体を感触の良い柔らかい支持圧で支えられるクッションを、簡単な構成によって様々な使用形態に変えられるようにすることにある。
【課題を解決するための手段】
【０００５】
上記課題を解決するために、本発明のクッションは次の手段をとる。
【０００６】
第１の発明は、閉じた袋形状の表皮袋と、表皮袋の袋内に充填された緩衝材と、を有するクッションである。緩衝材は、クッションの向きが変えられる移動によって漸次重力方向に溜まる形に流動する流動体により構成されている。表皮袋は、その複数箇所に結合部材が取り付けられており、各結合部材のいずれか同士を結合させて各結合部材の取り付け箇所同士を合わせた状態に保持することのできる構成とされている。なおかつ、上記表皮袋は、クッションがどの向きに変えられたり各結合部材のいずれか同士を結合させてクッションの形が変えられたりしても、緩衝材の重力方向に溜まる流動によりクッションを常に自立させられる形に撓む構成とされている。
【０００７】
この第１の発明によれば、表皮袋の複数個所に取り付けられた結合部材の結合する組み合わせを変えることにより、クッションを様々な形に変えることができる。上記クッションは、その向きが起こし上げられたり傾けられたりしても、内部の流動体の流動と表皮袋の撓みとによって、常に自立する形をとるため、クッションを寝かせるばかりではなく立てる形でも様々な使用形態をとることができる。また、上記複数の結合部材の結合する組み合わせを変えることにより、それぞれの使用形態において、クッションを、荷重をかけた人の身体を安定した態様で支持できる状態に変えることも可能となる。このように、人の身体を感触の良い柔らかい支持圧で支えられるクッションを、結合部材を設定する簡単な構成によって様々な使用形態に変えられるようにすることができる。
【０００８】
第２の発明は、上述した第１の発明において、次の構成とされているものである。各結合部材が表皮袋の袋形状の周縁部に沿って取り付けられている。
【０００９】
この第２の発明によれば、クッションの形状を、表皮袋の周縁部同士を合わせる形に変化させられるようになる。したがって、クッションの形を見栄え良く様々な形に変化させることができる。
【００１０】
第３の発明は、上述した第１又は第２の発明において、次の構成とされているものである。表皮袋が多角形の袋形状とされている。各結合部材が表皮袋の多角形の角部に取り付けられている。
【００１１】
この第３の発明によれば、表皮袋が多角形の袋形状となっていても、表皮袋の角部を外部に角張らせないように他の角部と合わせることができるようになる。したがって、クッションの形をより見栄え良く様々な形に変化させることができる。
【００１２】
第４の発明は、上述した第３の発明において、次の構成とされているものである。表皮袋が四角形の袋形状とされている。クッションは、表皮袋の四隅に取り付けられた各結合部材の隣り合うもの同士或いは対角位置にあるもの同士を結合して、表皮袋の隣り合う角部同士或いは対角位置にある角部同士を合わせた形にすることができるようになっている。
【００１３】
この第４の発明によれば、表皮袋が四角形の袋形状とされることで、表皮袋の隣り合う角部同士を２つずつ繋ぎ合わせてクッションをお手玉状の外観形状に変えたり、片側の繋ぎを開放して台形状の外観形状に変えたりするアレンジが可能となる。したがって、クッションの形を見栄え良くより様々な形に変化させることができる。
【００１４】
第５の発明は、上述した第１から第４のいずれかの発明において、次の構成とされているものである。表皮袋が互いに種類の異なる２種類の面状材同士を袋状に縫い合わせて構成されている。
【００１５】
この第５の発明によれば、各結合部材のいずれか同士を結合させるクッションの形状変化により、１つの面上に２種類の面状材が現れる面を形成することができる。したがって、クッションをより様々な形態に変化させることができる。
【００１６】
第６の発明は、上述した第１から第５のいずれかの発明において、次の構成とされているものである。各結合部材のいずれか同士を結合することにより、表皮袋に環状に繋ぎ合わされた環状部が形成されるようになっている。クッションは、環状部を上方側に立ち上げる向きにすることで、上記環状部によって囲まれた領域の天板面上に人が座れるようになり、環状部の繋ぎ合わされた領域部が着座者の背凭れとして機能する構成とされている。
【００１７】
この第６の発明によれば、各結合部材のいずれか同士を結合させてクッションを形状変化させる構成を利用して、着座者の座ったり凭れ掛かったりした身体を安定して保持することのできる座り心地の良いクッションを形成することができる。
【図面の簡単な説明】
【００１８】
【図１】実施例１のクッションの使用形態を表した斜視図である。
【図２】クッションの他の使用形態を表した斜視図である。
【図３】クッションの更に他の使用形態を表した斜視図である。
【図４】クッションの初期形状を表した斜視図である。
【図５】クッションを起立させた状態を表した斜視図である。
【図６】クッションを傾斜台状の形に変化させた状態を表した斜視図である。
【図７】クッションをお手玉状の形に変化させた状態を表した斜視図である。
【図８】図４のVIII-VIII線断面図である。
【図９】図４のIX-IX線断面図である。
【図１０】クッションの初期形状を正面視した模式図である。
【図１１】図１０のXI視方向から見たクッションの模式図である。
【図１２】クッションを傾斜台状の形に変化させた状態を正面視した模式図である。
【図１３】図１２のXIII視方向から見たクッションの模式図である。
【図１４】図１２のXIV視方向から見たクッションの模式図である。
【図１５】図１２のXV視方向から見たクッションの模式図である。
【図１６】クッションをお手玉状の形に変化させた状態を正面視した模式図である。
【図１７】図１６のXVII視方向から見たクッションの模式図である。
【図１８】図１６のXVIII視方向から見たクッションの模式図である。
【発明を実施するための形態】
【００１９】
以下に、本発明を実施するための形態について、図面を用いて説明する。
【実施例１】
【００２０】
始めに、実施例１のクッション１の構成について、図１〜図１８を用いて説明する。本実施例のクッション１は、図１〜図３に示すように、家庭のリビングルーム（居間）やラウンジ（客間など）などに置かれて使用される室内調度品として構成されている。上記クッション１は、その形を様々に変えて使用することができるようになっている。上記クッション１は、上記形状変化により、インテリアとしての見栄えを様々に変えることができる他、人が凭れ掛かってくつろぐための支持形態を様々に変えることができるようになっている。
【００２１】
具体的には、上記クッション１は、図３〜図４に示すように、その初期形状が、１辺１３５ｃｍの正方形の厚物形状となっており、成人が寝転がってくつろぐことが可能な大型な形に形成された構成となっている。上記クッション１の四隅には、革紐４Ａ〜４Ｄが取り付けられている。上記クッション１は、上記各革紐４Ａ〜４Ｄのうち、例えば隣り合う２つの革紐４Ａ，４Ｂ同士を互いに結び付けることにより、図６に示すように、その結び付けた領域部近傍の形状を厚くして、全体を傾斜台状の形に変化させることができるようになっている。また、上記クッション１は、更に残りの２つの革紐４Ｃ，４Ｄ同士を互いに結び付けることにより、図７に示すように、その結び付けた領域部近傍の形状も同じく厚くして、全体をお手玉状の形に変化させることができるようになっている。
【００２２】
上記クッション１は、上記のように形状変化させられる構成となっていることにより、例えば、上記図４に示した初期の正方形の厚物形状の状態とされている時には、図３に示すように、その上に人を寝転がらせて身体全体を広くクッション１の上に凭れ掛けさせることができるようになっている。また、上記クッション１は、例えば図６に示したように傾斜台状の形に変えられた状態とされている時には、図２に示すように、その上に人を前起こし気味の斜めの角度姿勢で凭れ掛けさせられるようになっている。
【００２３】
また、上記クッション１は、例えば図７に示したようにお手玉状の形に変えられた状態とされている時には、図１に示すように、その上に人を座らせて身体を後方側に凭れ掛けさせて支えられるようになっている。このとき、クッション１は、その上に座った人の身体を下方側や後方側から包み込むように支える形態をとるようになっており、座った人の姿勢を安定して支えられるようになっている。
【００２４】
以下、上述したクッション１の具体的な構成について、図４〜図１８を用いて詳しく説明する。上記クッション１は、図４及び図８に示すように、正方形の袋形状に形成された表皮袋２と、表皮袋２の袋内に充填された無数の発泡ビーズ３と、表皮袋２の四隅に縫い付けられた革紐４Ａ〜４Ｄと、を有する。表皮袋２は、正方形にカットされた布製の第１面状材２Ａと革製の第２面状材２Ｂとを袋状に縫い合わせて形成されている。
【００２５】
具体的には、上記第１面状材２Ａと第２面状材２Ｂとは、互いに裏向きに重ね合わされてその外周縁部同士が縫い合わされることにより、全体が正方形の袋形状に縫い合わされた構成となっている（縫い線２Ｃ）。そして、上記第１面状材２Ａと第２面状材２Ｂとは、上記のように縫い合わされた後に表側に返されることにより、縫い線２Ｃが内側に隠された形に形成された状態とされている。ここで、図４に示すように、上記第１面状材２Ａと第２面状材２Ｂとの重ね合わされた外周縁部の一部領域は、上述した形で縫い合わされるのではなく、線ファスナ２Ｄを介して開閉可能に結合された状態とされている（図９参照）。
【００２６】
上記線ファスナ２Ｄを開くことにより形成される開口部は、表皮袋２を表側に返す際の返し口として機能する他、表皮袋２内に発泡ビーズ３を出し入れする際の出し入れ口としても機能するようになっている。また、図８に示すように、上記表皮袋２の四隅に縫い付けられた革紐４Ａ〜４Ｄは、それぞれ、上述した第１面状材２Ａと第２面状材２Ｂとの間にセットされて、これらの縫い付けられる縫い線２Ｃにより第１面状材２Ａと第２面状材２Ｂとに共縫いされて結合された状態とされている。
【００２７】
発泡ビーズ３は、ポリスチレン樹脂（ＰＳ）を微細な泡で発泡させて硬化させた、発泡ポリスチレンビーズによって構成されている。上記発泡ビーズ３は、軽量かつ断熱性に優れ、また、成型や切削が行いやすく、安価で弾力性があり衝撃吸収性にも優れるものとなっている。上記発泡ビーズ３は、上述した表皮袋２の内部に充填されることにより、表皮袋２内で重力方向に溜まる形に沈み込み、その自重や弾力性により表皮袋２を内側から押圧して膨らませた形にするようになっている。
【００２８】
上記発泡ビーズ３は、図４及び図８〜図１１に示すように、クッション１が初期の正方形の形で床面上に寝かされた状態とされる際には、その重力方向に溜まる流動により、表皮袋２内の四隅にまで行き届いて、表皮袋２全体を厚手の座布団のような形に膨らませた状態に保持するようになっている。ここで、上述した表皮袋２を形成する布製の第１面状材２Ａと革製の第２面状材２Ｂは、共に、上述した発泡ビーズ３の重力方向に溜まる流動により、しなやかに撓んで形状を変化させることのできる柔らかい材質の素材によって形成されている。これら第１面状材２Ａや第２面状材２Ｂは、可撓性には富むが、伸張性は比較的低い素材によって構成されており、人がクッション１の上に乗り掛かっても、人を床面上に底付きさせるような伸張はせずに、発泡ビーズ３の流動性と弾力性とによって人の身体を感触の良い支持圧で柔らかく包み込むように受け止められるようにする構成となっている。
【００２９】
したがって、上記クッション１は、上記初期の正方形の形で床面上に寝かされた状態では、図３に示すように、その上に人が寝転がることにより、その寝転んだ人の形に合わせて表皮袋２が柔軟に撓んだり内部の発泡ビーズ３が柔軟に押し流されたりして、寝転んだ人の身体を感触の良い柔らかい支持圧で包み込むように支える状態となる。
【００３０】
なお、上記クッション１は、図４及び図８〜図１１に示すように、布製の第１面状材２Ａが上面側にくる向きとされていても、或いは革製の第２面状材２Ｂが上面側にくる向きとされていても、同じように機能することができるようになっている。上記クッション１は、布製の第１面状材２Ａが上面側にくる向きとされることで、例えば使用者に暖かみのある見栄えや使用感を与えることができる。また、上記クッション１は、革製の第２面状材２Ｂが上面側にくる向きとされることで、例えば使用者に見栄え的な高級感や比較的冷たい使用感を与えることができる。
【００３１】
上述した発泡ビーズ３は、図５に示すように、上述したクッション１を起こし上げることにより、表皮袋２の内部で重力方向に流れていき、表皮袋２の略下側半分の領域を樽状に膨らませる形に溜められるようになっている。また、上記発泡ビーズ３は、上記クッション１が起こし上げられることにより、その表皮袋２内の床面上に臨む下面（袋の周縁部の下面）近くに溜められている発泡ビーズ３が床面の形に合わせて柔軟に押し流されて、表皮袋２の下面を床面の形に合わせた形状（床面が平坦であれば平坦な形状、床面が凹凸のある形であれば凹凸に嵌合する凸凹形状）に柔軟に変えられるようになっている。
【００３２】
このような構成となっていることにより、クッション１は、床面上から起立した状態に向きが変えられても、上述した発泡ビーズ３の流動により、重心が下げられて下太り状の形に形態が変えられると共に、床面に対する接地面を広げた形に形態が変えられて、床面上に自立できる形をとるようになっている。また、上記発泡ビーズ３は、クッション１が上記図４及び図１０〜図１１に示した床面上に寝かされた状態から、クッション１の四隅に設けられたいずれか２つの隣り合う革紐４Ａ，４Ｂ同士を互いに結び付けることにより、図６及び図１２〜図１５に示すように、上記表皮袋２の結び付けられた領域部が四角形の側面を成す形に折り畳まれて、同領域内から中央領域へと押し流される。これにより、上記発泡ビーズ３は、上記表皮袋２の折り畳まれて膨む領域内に溜められた状態となり、クッション１を上記領域部を膨らませた傾斜台状の形に変化させるようになっている。
【００３３】
詳しくは、上記表皮袋２は、上記革紐４Ａ，４Ｂ同士を結び付けることにより、その一辺の両角部同士が互いに合わされて、同一辺を環状（無端状）に繋ぎ合わせた形に変えられるようになっている（環状部２Ｅ）。そして、この結び付けにより、表皮袋２は、上記合わされた両角部近傍の第１面状材２Ａと第２面状材２Ｂとがそれぞれ第１面状材２Ａ同士及び第２面状材２Ｂ同士を面着させるように三角形状に折り畳まれながら中央に向けて倒し込まれていき、これらの内部に充填されていた発泡ビーズ３を、表皮袋２内の中央領域へ向けて押し出す力を作用させるようになっている。そして、上記表皮袋２の三角形状に折り畳まれた各面部は、それぞれ、表皮袋２の折り畳まれた先の面部と重ね合わされて、表皮袋２の一側面に四角形状の側面を形成した状態となる。これにより、表皮袋２が傾斜台状の形に変えられた状態となる。
【００３４】
上記のように傾斜台状の形に変えられたクッション１は、図２に示すように、その上に人が凭れ掛かっても、革紐４Ａ，４Ｂ同士の結び付けられた拘束力により、発泡ビーズ３を表皮袋２の折り畳まれた領域内に流動させることなく傾斜台状の形に維持される。したがって、上記傾斜台状の形に変えられたクッション１に人が凭れ掛かっても、クッション１は、その内部の発泡ビーズ３の流動性と弾力性とによって、凭れ掛かった人の身体を感触の良い柔らかい支持圧で包み込むように支えることができる。
【００３５】
なお、上記クッション１は、図６及び図１２〜図１５に示すように、布製の第１面状材２Ａが上面側にくる向きとされていても、或いは革製の第２面状材２Ｂが上面側にくる向きとされていても、同じように機能することができるようになっている。上記クッション１は、布製の第１面状材２Ａが上面側にくる向きとされることで、例えば使用者に暖かみのある見栄えや使用感を与えることができる。また、上記クッション１は、革製の第２面状材２Ｂが上面側にくる向きとされることで、例えば使用者に見栄え的な高級感や比較的冷たい使用感を与えることができる。
【００３６】
また、上記クッション１は、上記図６及び図１２〜図１５に示したように片側２つの革紐４Ａ，４Ｂ同士を互いに結び付けて傾斜台状の形にした状態から、更に残りの２つの革紐４Ｃ，４Ｄ同士を互いに結び付けることにより、図７及び図１６〜図１８に示すように、その結び付けた領域部も同じく厚くして、全体をお手玉状の形に変化させることができるようになっている。なお、このときの革紐４Ｃ，４Ｄ同士の結び付けによる表皮袋２の形状変化は、先述の革紐４Ａ，４Ｂ同士を結び付けたときのそれと同じとなっている。
【００３７】
このようにお手玉状の形に変えられたクッション１は、図７に示すように第１面状材２Ａが上面側にくる向き、或いはその反対に第２面状材２Ｂが上面側にくる向きとされた状態では、その上面に、成人が気軽に腰掛けることのできる高さ位置（床面上から約６５ｃｍの位置）に正方形状の平らな座面を形成した状態とされるようになっている。上記クッション１は、上記お手玉状の形とされていることで、床面上に接地する下面も正方形状の平らな面とされており、床面上に前後左右のどちらの方向にも倒れにくい形に広く接地した状態として、安定した自立状態を維持することができる形に保持されるようになっている。
【００３８】
したがって、上記お手玉状の形に変えられたクッション１は、その上に人が座っても、比較的重力方向に真っ直ぐ押し潰される形に撓まされて、その上に座った人の身体を下方側から広く包み込むように支える形態をとって、座った人の姿勢を比較的安定して支えられるようになっている。詳しくは、上記クッション１は、上述したお手玉状の形に変えられて第１面状材２Ａ或いは第２面状材２Ｂが上面側にくる向きとされた状態では、その高さ方向の中間部に、第１面状材２Ａと第２面状材２Ｂとの縫合された境界線（縫い線２Ｃ）が周方向にぐるりと囲む形に伸びる状態とされるようになっている。
【００３９】
上記の境界線（縫い線２Ｃ）は、上述した革紐４Ａ〜４Ｄが２つずつ互いに結び付けられた状態では、表皮袋２が４つの角部をそれぞれ２つずつ合わせる形に折り畳まれていることにより、その実質的な周長が図４で前述した初期の正方形の状態とされていた時と比べて約半分の長さに絞り込まれた状態とされている。これら境界線（縫い線２Ｃ）の領域部は、第１面状材２Ａと第２面状材２Ｂとが互いに重ね合わされて縫合された領域となっているため、第１面状材２Ａや第２面状材２Ｂが単体で構成されている領域部と比べて、伸張性が低い構成とされている。
【００４０】
したがって、このような性質を備える境界線（縫い線２Ｃ）がクッション１の高さ方向の中間部において全周を取り巻くように配置されていることで、クッション１に人が座ったときに、クッション１内で流動する発泡ビーズ３を、境界線（縫い線２Ｃ）を上縁として形作られる下側半分の袋内部に溜め込みやすい状態となり、下側半分の土台が固められやすくなる。よって、クッション１の上に座った人を安定して支えることができる。
【００４１】
なお、上記クッション１は、図７に示すように、布製の第１面状材２Ａが上面側にくる向きとされていても、或いは革製の第２面状材２Ｂが上面側にくる向きとされていても、同じように機能することができるようになっている。上記クッション１は、布製の第１面状材２Ａが上面側にくる向きとされることで、例えば使用者に暖かみのある見栄えや使用感を与えることができる。また、上記クッション１は、革製の第２面状材２Ｂが上面側にくる向きとされることで、例えば使用者に見栄え的な高級感や比較的冷たい使用感を与えることができる。
【００４２】
また、上記クッション１は、上記図７に示したお手玉状の形に変えられた状態から、そのどちらか一方側の革紐４Ａ，４Ｂ（４Ｃ，４Ｄ）同士を結び付けた側の側面を上方側に向けるように向きを変えることにより、図１に示すように、人が腰掛ける座面（上面）上に、革紐４Ａ，４Ｂ（４Ｃ，４Ｄ）同士が結び付けられて形成される表皮袋２の環状部２Ｅが設けられた状態に変えられるようになっている。このとき、クッション１は、その上面に成人が気軽に腰掛けることのできる高さ位置（床面上から約６５ｃｍの位置）に正方形状の平らな座面を形成した状態とされるようになっている。
【００４３】
したがって、この状態から、人が上記表皮袋２の環状部２Ｅ内（環状部２Ｅによって囲まれた領域の天板面２Ｆ上）にお尻を落とし込むようにクッション１の座面（上面）上に腰掛けることにより、クッション１の腰掛けた座面が下方側に沈み込んで、上記表皮袋２の環状部２Ｅの革紐４Ａ，４Ｂ（４Ｃ，４Ｄ）同士が結び付けられた繋ぎの部分が座った人の背中にあてがわれる状態となる。
【００４４】
詳しくは、上記環状部２Ｅは、上記クッション１の腰掛けられた座面が下方側に沈み込む動きによって、環の形がある程度下方側に広げられる状態となるが、沈み込みが治まるところで、その環の形が、座った人（着座者）の身体を大腿部から背部にかけて包み込む形となる。したがって、この状態から、着座者が身体を後方側に傾けることにより、上記表皮袋２の環状部２Ｅの革紐４Ａ，４Ｂ（４Ｃ，４Ｄ）同士が結び付けられた繋ぎの部分が着座者の背中にあてがわれる。そして、上記着座者の背中にあてがわれた表皮袋２の環状部２Ｅの繋ぎの部分は、着座者が後方側に凭れ掛かる力によって後方側に引張られていく。
【００４５】
しかし、この環状部２Ｅの繋ぎの部分が後方側に引張られていく力は、着座者の大腿部に下側からあてがわれている環状部２Ｅの下側部分（天板面２Ｆ部分）によって支えられる。すなわち、着座者が環状部２Ｅの繋ぎの部分に凭れ掛かる力が、着座者が大腿部によって環状部２Ｅの下側部分（天板面２Ｆ部分）に体重をかけている力によって支えられる状態、すなわち表皮袋２の環状部２Ｅのテンションによって支えられる状態となる。これにより、クッション１の上に腰掛けた着座者が、クッション１によって下方側から柔らかく受け止められると共に、表皮袋２の環状部２Ｅの可撓性によって後方側からも柔らかく支えられる状態となり、下方側や後方側から包み込まれる態様で柔らかく安定した支持態様で支えられるようになる。
【００４６】
なお、上記クッション１は、図１に示すように、布製の第１面状材２Ａが前面側にくる向きとされていても、或いは革製の第２面状材２Ｂが前面側にくる向きとされていても、同じように機能することができるようになっている。上記クッション１は、布製の第１面状材２Ａが前面側にくる向きとされることで、例えば使用者に暖かみのある見栄えや使用感を与えることができる。また、上記クッション１は、革製の第２面状材２Ｂが前面側にくる向きとされることで、例えば使用者に見栄え的な高級感や比較的冷たい使用感を与えることができる。
【００４７】
以上をまとめると、本実施例のクッション１は次のような構成となっている。すなわち、クッション１は、閉じた袋形状の表皮袋２と、表皮袋２の袋内に充填された緩衝材（無数の発泡ビーズ３）と、を有する。緩衝材（無数の発泡ビーズ３）は、クッション１の向きが変えられる移動によって漸次重力方向に溜まる形に流動する流動体（無数の発泡ビーズ３）により構成されている。表皮袋２は、その複数箇所に結合部材（革紐４Ａ〜４Ｄ）が取り付けられており、各結合部材（革紐４Ａ〜４Ｄ）のいずれか同士を結合させて各結合部材（革紐４Ａ〜４Ｄ）の取り付け箇所同士を合わせた状態に保持することのできる構成とされている。なおかつ、上記表皮袋２は、クッション１がどの向きに変えられたり各結合部材（革紐４Ａ〜４Ｄ）のいずれか同士を結合させてクッション１の形が変えられたりしても、緩衝材（無数の発泡ビーズ３）の重力方向に溜まる流動によりクッション１を常に自立させられる形に撓む構成とされている。
【００４８】
このように、表皮袋２の複数個所に取り付けられた結合部材（革紐４Ａ〜４Ｄ）の結合する組み合わせを変えることにより、クッション１を様々な形に変えることができる。上記クッション１は、その向きが起こし上げられたり傾けられたりしても、内部の流動体（無数の発泡ビーズ３）の流動と表皮袋２の撓みとによって、常に自立する形をとるため、クッション１を寝かせるばかりではなく立てる形でも様々な使用形態をとることができる。また、上記複数の結合部材（革紐４Ａ〜４Ｄ）の結合する組み合わせを変えることにより、それぞれの使用形態において、クッション１を、荷重をかけた人の身体を安定した態様で支持できる状態に変えることも可能となる。このように、人の身体を感触の良い柔らかい支持圧で支えられるクッション１を、結合部材（革紐４Ａ〜４Ｄ）を設定する簡単な構成によって様々な使用形態に変えられるようにすることができる。
【００４９】
また、各結合部材（革紐４Ａ〜４Ｄ）は、表皮袋２の袋形状の周縁部に沿って取り付けられている。このような構成となっていることにより、クッション１の形状を、表皮袋２の周縁部同士を合わせる形に変化させられるようになる。したがって、クッション１の形を見栄え良く様々な形に変化させることができる。
【００５０】
また、表皮袋２は、多角形の袋形状とされている。各結合部材（革紐４Ａ〜４Ｄ）が表皮袋２の多角形の角部に取り付けられている。このような構成となっていることにより、表皮袋２が多角形の袋形状となっていても、表皮袋２の角部を外部に角張らせないように他の角部と合わせることができるようになる。したがって、クッション１の形をより見栄え良く様々な形に変化させることができる。
【００５１】
また、表皮袋２が四角形の袋形状とされている。クッション１は、表皮袋２の四隅に取り付けられた各結合部材（革紐４Ａ〜４Ｄ）の隣り合うもの同士を結合して、表皮袋２の隣り合う角部同士を合わせた形にすることができるようになっている。このように、表皮袋２が四角形の袋形状とされることで、表皮袋２の隣り合う角部同士を２つずつ繋ぎ合わせてクッション１をお手玉状の外観形状に変えたり、片側の繋ぎを開放して台形状の外観形状に変えたりするアレンジが可能となる。したがって、クッション１の形を見栄え良くより様々な形に変化させることができる。
【００５２】
また、表皮袋２が互いに種類の異なる２種類の面状材（布製の第１面状材２Ａと革製の第２面状材２Ｂ）同士を袋状に縫い合わせて構成されている。このような構成となっていることにより、各結合部材（革紐４Ａ〜４Ｄ）のいずれか同士を結合させるクッション１の形状変化により、１つの面上に２種類の面状材（布製の第１面状材２Ａと革製の第２面状材２Ｂ）が現れる面を形成することができる。したがって、クッション１をより様々な形態に変化させることができる。
【００５３】
また、各結合部材（革紐４Ａ〜４Ｄ）のいずれか同士を結合することにより、表皮袋２に環状に繋ぎ合わされた環状部２Ｅが形成されるようになっている。クッション１は、図１に示すように環状部２Ｅを上方側に立ち上げる向きにすることで、上記環状部２Ｅによって囲まれた領域の天板面２Ｆ上に人を座らせて、環状部２Ｅの繋ぎ合わされた領域部を着座者の背凭れとして機能させられるようにすることができる。このように、各結合部材（革紐４Ａ〜４Ｄ）のいずれか同士を結合させてクッション１を形状変化させる構成を利用して、着座者の座ったり凭れ掛かったりした身体を安定して保持することのできる座り心地の良いクッション１を形成することができる。
【００５４】
また、各結合部材（革紐４Ａ〜４Ｄ）のいずれか同士を結合することにより、その結合された環状部２Ｅをクッション１の取っ手として使えるようになるため、クッション１を持ち運びやすくすることができる。また、上記各結合部材（革紐４Ａ〜４Ｄ）のいずれか同士の結合により、クッション１の形を様々な方向に縮めることができるため、クッション１を様々な空間領域にコンパクトに収納することができるようになる。
【００５５】
以上、本発明の実施形態を１つの実施例を用いて説明したが、本発明は上記実施例のほか各種の形態で実施することができるものである。例えば、上記実施例では、本発明のクッションとして１辺１３５ｃｍの正方形の厚物形状とされたものを例示したが、本発明のクッションは、これ以外の大きさ及び形状からなるものであってもよい。具体的には、クッションは、閉じた袋形状の表皮袋と、表皮袋の袋内に充填された緩衝材と、を有する構成となっていればよく、表皮袋が正方形以外の多角形や円形或いは楕円形等の様々な形の袋形状から成るものであってもよい。また、表皮袋が多面体や球、円柱、錐体等の立体形状から成るものであってもよい。
【００５６】
また、上記実施例では、本発明の緩衝材を構成する流動体として、ポリスチレン樹脂（ＰＳ）製の無数の発泡ビーズを例示したが、流動体は、ポリウレタンフォームやポリエチレンフォーム等の他の発泡樹脂材料を無数のビーズ状に形成したものや、木材やゴムを無数のチップ状に細かく砕いたもの、或いはそば殻など、無数の固形状の小片から成るものであればよい。また、流動体は、クッションの向きが変えられる移動によって漸次重力方向に溜まる形に流動するようなジェル状の流動体から成るものであってもよい。
【００５７】
また、上記実施例では、本発明の結合部材として、表皮袋の四隅に取り付けられた革紐を例示したが、本発明の結合部材は、革紐以外の結合部材であってもよく、また、表皮袋の四隅以外のところに取り付けられるものであってもよい。具体的には、結合部材は、布紐やビニール紐等の革紐以外の紐材から成るもの、或いは紐材ではなく面ファスナや線ファスナから成るもの、フックの引掛けによる結合が可能な部材から成るものなど、種々の結合構造を備えた部材を適用することができるものである。また、表皮袋における結合部材の取り付け箇所は、表皮袋の角部や縁部以外の箇所、すなわち袋面の中間箇所であってもよい。
【００５８】
また、表皮袋が多角形に形成されて上記結合部材が多角形の角部に取り付けられる場合、結合部材は必ずしも多角形の各角部に取り付けられていなくてもよい。また、結合部材の結合は、必ずしも隣り合うもの同士の間で行うものでなくてもよく、対角位置にあるもの同士や複数個飛びの関係位置にあるもの同士を結合するものであってもよい。
【００５９】
また、表皮袋は、１種類或いは３種類以上の面状材を袋状に縫い合わせて構成したものであってもよい。また、表皮袋が多種類の面状材を組み合わせて構成される場合、上記実施例で示したように面状材の種類が表皮袋の表裏で切り替えられるようになっていてもよいが、上下や左右で切り替えられるようになっているもの、或いは不規則的に切り替えられるようになっているもの、又はこれらの組み合わせとされたものなど、種々の態様で切り替えられるようになっているものであってもよい。
【００６０】
なお、表皮袋は、クッションがどの向きに変えられたり各結合部材のいずれか同士を結合させてクッションの形が変えられたりしても緩衝材の重力方向に溜まる流動によりクッションを常に自立させられる形に撓める程度の可撓性を備えた構成となっていればよく、伸縮性は必ずしも必要ではない。表皮袋に伸縮性をもたせる場合には、人がクッションの上に乗り掛かっても、人を床面上に底付きさせない程度にしか伸張しないものにすることが好ましい。
【００６１】
また、上記実施例では、表皮袋の内部に無数の発泡ビーズ（流動体）が直接詰め込まれた構成を例示したが、無数の発泡ビーズ（流動体）が中袋内に入れられた状態で表皮袋内に入れられた構成とされたものであってもよい。また、流動体を複数の中袋に分けて入れた状態で表皮袋内に入れてもよい。このようにすることで、中袋毎に異なるクッション性能を発揮させるように構成することができる。
【符号の説明】
【００６２】
１      クッション
２      表皮袋
２Ａ    第１面状材（面状材：布製）
２Ｂ    第２面状材（面状材：皮製）
２Ｃ    縫い線
２Ｄ    線ファスナ
２Ｅ    環状部
２Ｆ    天板面
３      発泡ビーズ（流動体）
４Ａ〜４Ｄ  革紐（結合部材）
【図１】
2015181877.tif 000003
【図２】
2015181877.tif 000004
【図３】
2015181877.tif 000005
【図４】
2015181877.tif 000006
【図５】
2015181877.tif 000007
【図６】
2015181877.tif 000008
【図７】
2015181877.tif 000009
【図８】
2015181877.tif 000010
【図９】
2015181877.tif 000011
【図１０】
2015181877.tif 000012
【図１１】
2015181877.tif 000013
【図１２】
2015181877.tif 000014
【図１３】
2015181877.tif 000015
【図１４】
2015181877.tif 000016
【図１５】
2015181877.tif 000017
【図１６】
2015181877.tif 000018
【図１７】
2015181877.tif 000019
【図１８】
2015181877.tif 000020